(57)【要約】【課題】生体データの表示に関する混乱や操作の煩雑さを招くことのない生体測定装置を、できるだけ低コストで提供可能とすること。【解決手段】本発明の生体測定装置は、使用者の複数種類の生体データを測定するデータ測定手段と、測定された複数種類の生体データの一つを選択するデータ選択手段と、選択された生体データを表示するデータ表示手段とを備えてなる生体測定装置であって、前記複数種類の生体データに対応する複数の発光体と、この複数の発光体のうち前記データ選択手段で選択された生体データに対応する発光体を発光させる発光制御手段とを更に備えてなる。【選択図】図１
2006239237.tif 000002
【特許請求の範囲】
【請求項１】
使用者の複数種類の生体データを測定するデータ測定手段と、測定された複数種類の生体データの一つを選択するデータ選択手段と、選択された生体データを表示するデータ表示手段とを備えてなる生体測定装置であって、
前記複数種類の生体データに対応する複数の発光体と、この複数の発光体のうち前記データ選択手段で選択された生体データに対応する発光体を発光させる発光制御手段とを更に備えてなることを特徴とする生体測定装置。
【請求項２】
請求項１に記載の生体測定装置であって、前記複数の発光体のそれぞれが、当該発光体に対応する生体データを表す文字又は記号が記された透過性のカバーで覆われていることを特徴とする生体測定装置。
【請求項３】
請求項１又は２に記載の生体測定装置であって、前記データ選択手段が、複数種類の生体データのそれぞれを一定時間ごとに順次自動的に選択する自動データ選択手段と、複数種類の生体データの一つを使用者の選択操作に従って選択する任意データ選択手段とを含み、前記発光制御手段が、生体データの選択が前記自動データ選択手段で行われた場合における前記発光体の発光形態と、生体データの選択が前記任意データ選択手段で行われた場合における前記発光体の発光形態とを、互いに異なるものとすることを特徴とする生体測定装置。
【請求項４】
請求項１又は２に記載の生体測定装置であって、前記データ測定手段で測定された複数種類の生体データを記憶するデータ記憶手段を更に備え、前記データ選択手段が、前記データ測定手段で測定された最新の生体データの一つを選択する最新データ選択手段と、前記データ記憶手段に記憶された過去の生体データの一つを選択する過去データ選択手段とを含み、前記発光制御手段が、生体データの選択が前記最新データ選択手段で行われた場合における前記発光体の発光形態と、生体データの選択が前記過去データ選択手段で行われた場合における前記発光体の発光形態とを、互いに異なるものとすることを特徴とする生体測定装置。
【請求項５】
請求項１乃至４に記載の生体測定装置であって、前記データ測定手段には、少なくとも使用者の身長データを入力するための入力キーと、使用者の体重データを測定するための重量センサと、使用者の両足間のインピーダンスデータを測定するための電極及び電気回路とが含まれており、前記複数種類の生体データは、少なくともこれら身長データと体重データとインピーダンスデータとに基づいて算出される使用者の身体組成に関する複数の指標値であることを特徴とする生体測定装置。
【発明の詳細な説明】
【技術分野】
【０００１】
本発明は、使用者の生体データを測定する生体測定装置に関し、より詳しくは、使用者の複数種類の生体データを測定するデータ測定手段と、測定された複数種類の生体データの一つを選択するデータ選択手段と、選択された生体データを表示するデータ表示手段とを備えてなる生体測定装置に関する。
【背景技術】
【０００２】
使用者の体重や体脂肪率といった複数種類の生体データを測定するための装置が広く知られている（例えば、特許文献１参照。）。特に最近の生体測定装置においては、測定可能な生体データの種類、項目は増加の一途を辿り、体重や体脂肪率のみならず、内臓脂肪面積、体水分率、筋肉量、骨量、基礎代謝量等の生体データを測定することが可能となっている。
【０００３】
測定される生体データの種類が増加すると、生体測定装置に搭載された液晶画面等のデータ表示手段では、全ての測定結果を同時に表示しきれないことがある。そこで、測定された生体データのそれぞれを、一定時間ごとに順次自動的に選択して表示する生体測定装置や、使用者の選択操作に従って表示する生体測定措置が開発されてきた。特に、後者の生体測定装置の中には、各測定項目に対応したキースイッチが用意され、使用者が任意のキースイッチを押下すると、当該キースイッチに対応した生体データが液晶画面に表示されるように構成されたものもある（例えば、特許文献２参照。）。これにより、使用者は、表示させるべき生体データを直接的に選択できるものである。
【０００４】
【特許文献１】特公平５−４９０５０号公報
【特許文献２】特願２００４−４８４０６号明細書
【発明の開示】
【発明が解決しようとする課題】
【０００５】
複数種類の生体データを測定可能な従来の生体測定装置のうち、測定結果が順次自動的に選択されて（切替えられて）表示されるタイプの装置では、生体データの種類の増加に伴って表示の切替え回数が増加すると、その時々で何のデータが表示されているのか判り難くなることがある。即ち、多くの場合、液晶画面には、測定結果たる生体データの数値及び単位が表示されるのみであるから、例えば、体重（ｋｇ）、体脂肪量（ｋｇ）、筋肉量（ｋｇ）、骨量（ｋｇ）のように、同じ単位のデータ表示がいくつも連続したような場合は、今現在の数値がどの生体データを表しているのか、混乱を来たし易い。もちろん、斯かる混乱は、生体データを表す文字や記号を液晶画面に同時に表示することで一応は解消し得るものであり、現にそのようなデータ表示を採用した生体測定装置もあるが、液晶画面の中でそのような文字や記号のために割くことのできるスペースには限りがあり、これを克服しようとすれば液晶画面そのものを大型化せざるを得ず、結果として装置全体のコストを増大させてしまいかねない。
【０００６】
一方、測定結果を使用者の選択操作に従って表示するタイプの生体測定装置では、表示すべき生体データを使用者が任意に切替えて選択するわけであるから、上述の如き混乱は生じ難くなる。しかしながら、表示項目の選択（切替え）のために１つか２つのキースイッチが用意されているような装置においては、使用者は、当該キースイッチを何回押下すれば所望の生体データに至るのか、或いは、今現在までにキースイッチを何回押下したか、といったことを考えながら選択操作をしなければならず、操作自体の煩雑さは否めない。また、各測定項目に対応したキースイッチが用意された装置では、表示させるべき生体データを直接的に選択可能ではあるものの、装置本体には生体データの種類と同数のキースイッチが並ぶこととなり、使用者は、これらのキースイッチの中から所望の生体データに対応したキースイッチを選ばなければならない。生体データの種類（キースイッチの数）が３つ、４つのうちであれば兎も角も、これが５つ、６つと増え、更に７つ、８つ、９つと増加した場合には、キースイッチの選択自体が煩雑で、混乱を来たし易いものとなりかねない。
【０００７】
従って、本発明は、使用者の複数種類の生体データを測定するデータ測定手段と、測定された複数種類の生体データの一つを選択するデータ選択手段と、選択された生体データを表示するデータ表示手段とを備えてなる従来の生体測定装置において、上述の如き生体データの表示に関する混乱や操作の煩雑さを招くことのない生体測定装置を、できるだけ低コストで提供可能とすることを目的とする。
【課題を解決するための手段】
【０００８】
本発明の生体測定装置は、使用者の複数種類の生体データを測定するデータ測定手段と、測定された複数種類の生体データの一つを選択するデータ選択手段と、選択された生体データを表示するデータ表示手段とを備えてなる生体測定装置であって、前記複数種類の生体データに対応する複数の発光体と、この複数の発光体のうち前記データ選択手段で選択された生体データに対応する発光体を発光させる発光制御手段とを更に備えてなるものである。
【０００９】
ここで、前記複数の発光体のそれぞれは、当該発光体に対応する生体データを表す文字又は記号が記された透過性のカバーで覆われているものとする。
【００１０】
更に、本発明の生体測定装置では、前記データ選択手段が、複数種類の生体データのそれぞれを一定時間ごとに順次自動的に選択する自動データ選択手段と、複数種類の生体データの一つを使用者の選択操作に従って選択する任意データ選択手段とを含み、前記発光制御手段が、生体データの選択が前記自動データ選択手段で行われた場合における前記発光体の発光形態と、生体データの選択が前記任意データ選択手段で行われた場合における前記発光体の発光形態とを、互いに異ならせるものとする。
【００１１】
また、本発明の生体測定装置では、前記データ測定手段で測定された複数種類の生体データを記憶するデータ記憶手段を更に備え、前記データ選択手段が、前記データ測定手段で測定された最新の生体データの一つを選択する最新データ選択手段と、前記データ記憶手段に記憶された過去の生体データの一つを選択する過去データ選択手段とを含み、前記発光制御手段が、生体データの選択が前記最新データ選択手段で行われた場合における前記発光体の発光形態と、生体データの選択が前記過去データ選択手段で行われた場合における前記発光体の発光形態とを、互いに異ならせるものとする。
【００１２】
そして、本発明の生体測定装置では、前記データ測定手段には、少なくとも使用者の身長データを入力するための入力キーと、使用者の体重データを測定するための重量センサと、使用者の両足間のインピーダンスデータを測定するための電極及び電気回路とが含まれており、前記複数種類の生体データは、少なくともこれら身長データと体重データとインピーダンスデータとに基づいて算出される使用者の身体組成に関する複数の指標値であるものとする。
【発明の効果】
【００１３】
本発明の生体測定装置であれば、データ選択手段で選択された生体データがデータ表示手段に表示される際、当該生体データに対応した発光体が、発光制御手段によって発光させられる。この結果、使用者は、今現在データ表示手段に表示されている生体データが何であるかということを、何ら混乱することなく容易に認識し得る。また、斯かる発光体を用いることによって、データ表示手段において生体データを表す文字や記号の表示を省略し、又は完全に省略しないまでも簡略なものとすることができ、従って、データ表示手段の大型化やこれに伴う生体測定装置全体のコスト増加を抑制することができる。
【００１４】
本発明の生体測定装置においては、それぞれの発光体がどの生体データに対応するものであるのかを明らかにするため、例えば各発光体の近傍に対応する生体データを表す文字や記号を付しておくことができる。とりわけ、複数の発光体のそれぞれを、それぞれに対応する生体データを表す文字や記号が記された透過性のカバーで覆った場合には、視認性が良く、且つ、装置全体のデザインを見栄えの良いものとすることができる。
【００１５】
更に、本発明の生体測定装置において、データ表示手段に表示される生体データの選択が、一定時間ごとに順次自動的に選択を行う自動データ選択手段と使用者の選択操作に従って選択を行う任意データ選択手段との両方で行われるような場合には、それぞれの場合における発光体の発光形態を異ならせることで、現在の表示状態の違い、即ち、切替えは自動的に行われるのか、又は切替えには使用者自身の操作が必要であるのかといった違いについても、使用者に容易に認識させることが可能となり、使用者の利便性が向上する。
【００１６】
また、本発明の生体測定装置において、測定された生体データを記憶するデータ記憶手段が更に備えられ、且つ、データ表示手段に表示される生体データの選択が、最新の生体データの一つを選択する最新データ選択手段と過去の生体データの一つを選択する過去データ選択手段との両方で行われるような場合には、それぞれの場合における発光体の発光形態を異ならせることで、現在の表示状態の違い、即ち、測定したばかりの生体データが表示されているのか、過去に測定した生体データが表示されているのかといった違いについても、使用者に容易に認識させることが可能となり、使用者の利便性が向上する。
【００１７】
そして、本発明の生体測定装置は、少なくとも使用者の身長データを入力するための入力キーと、使用者の体重データを測定するための重量センサと、使用者の両足間のインピーダンスデータを測定するための電極及び電気回路とをデータ測定手段とし、少なくともこれら身長データと体重データとインピーダンスデータとに基づいて算出される使用者の身体組成に関する複数の指標値をこの装置で測定される複数種類の生体データとすることで、使用者の身体組成を測定する装置として実現することが可能である。
【発明を実施するための最良の形態】
【００１８】
本発明の生体測定装置は、使用者の複数種類の生体データを測定するデータ測定手段と、測定された複数種類の生体データの一つを選択するデータ選択手段と、選択された生体データを表示するデータ表示手段とを備えてなる生体測定装置であって、前記複数種類の生体データに対応する複数の発光体と、この複数の発光体のうち前記データ選択手段で選択された生体データに対応する発光体を発光させる発光制御手段とを更に備えてなるものとする。
【００１９】
ここで、前記複数の発光体のそれぞれは、当該発光体に対応する生体データを表す文字又は記号が記された透過性のカバーで覆われていることが望ましい。
【００２０】
更に、本発明の生体測定装置では、前記データ選択手段が、複数種類の生体データのそれぞれを一定時間ごとに順次自動的に選択する自動データ選択手段と、複数種類の生体データの一つを使用者の選択操作に従って選択する任意データ選択手段とを含み、前記発光制御手段が、生体データの選択が前記自動データ選択手段で行われた場合における前記発光体の発光形態と、生体データの選択が前記任意データ選択手段で行われた場合における前記発光体の発光形態とを、互いに異ならせるものであることが望ましい。
【００２１】
また、本発明の生体測定装置では、前記データ測定手段で測定された複数種類の生体データを記憶するデータ記憶手段を更に備え、前記データ選択手段が、前記データ測定手段で測定された最新の生体データの一つを選択する最新データ選択手段と、前記データ記憶手段に記憶された過去の生体データの一つを選択する過去データ選択手段とを含み、前記発光制御手段が、生体データの選択が前記最新データ選択手段で行われた場合における前記発光体の発光形態と、生体データの選択が前記過去データ選択手段で行われた場合における前記発光体の発光形態とを、互いに異ならせるものであることが望ましい。
【００２２】
そして、本発明の生体測定装置では、前記データ測定手段には、少なくとも使用者の身長データを入力するための入力キーと、使用者の体重データを測定するための重量センサと、使用者の両足間のインピーダンスデータを測定するための電極及び電気回路とが含まれており、前記複数種類の生体データは、少なくともこれら身長データと体重データとインピーダンスデータとに基づいて算出される使用者の身体組成に関する複数の指標値であることが望ましい。
【実施例】
【００２３】
以下、本発明の好適な実施例を、図面を参照して説明する。図１は、本発明の実施例たる生体測定装置１の外観図である。図２は、この生体測定装置１に内蔵された電気回路構成の概要を示すブロック図である。図３は、この生体測定装置１で実行される個人データ登録処理のフローチャートである。図４は、この生体測定装置１で実行される生体データ測定処理のフローチャートである。図５は、この生体測定装置１で実行される最新生体データ表示処理のフローチャートである。図６は、この生体測定装置１で実行される過去生体データ表示処理のフローチャートである。図７は、この生体測定装置１に搭載された液晶画面の表示例及び発光体の発光例を説明するための図である。
【００２４】
この生体測定装置１（以下、単に「装置１」と略称する。）は、使用者の年齢データと性別データと身長データと体重データと両足間の生体電気インピーダンスデータとを利用して使用者の体脂肪率、体水分率、筋肉量、基礎代謝量、骨量といった身体組成データを算出し得るように構成された公知の所謂体組成計を改良したもので、更にこれらの各データに基づいて使用者の内臓脂肪レベル、体型レベル、代謝年齢といった生体指標データを算出し得るものである。尚、この実施例の説明においては、上述した年齢データと性別データと身長データとを個人データと総称し、体重データと５つの身体組成データと３つの生体指標データとからなる計９つのデータを生体データと総称する。
【００２５】
図１に示すように、装置１の本体２は基台２１とこの基台２１に載置された載台２２とから構成されており、載台２２の上面２２ａには、使用者の左右の足裏間に交流電流を流すための通電電極３１、３２と、このときに左右の足裏間に生じる電圧（電位差）を測定するための測定電極４１、４２と、個人データや生体データの表示に用いる液晶画面５と、使用者が個人データを入力するための入力装置６とが配設されている。
【００２６】
ここで、入力装置６は、液晶画面５に表示されるデータの選択操作や決定操作に用いるアップキー６１、ダウンキー６２及びセットキー６３とを含んでいる。また、本体２の側面には、既に登録済みの個人データがある場合にこれを呼出すための４つのフットキー７１、７２、７３、７４からなるフットキー７と、電源遮断用のフットキー８とが配設されている。尚、セットキー６３とフットキー７１〜７４とは、それぞれが電源投入キーを兼ねている。更に、図１において破線で囲んだように、載台２２の上面２２ａには、液晶画面５と入力装置６との間に挟まれるようにして、後述する９つのＬＥＤ（発光ダイオード）９１、９２、９３、９４、９５、９６、９７、９８、９９からなる発光体９が配設されている。
【００２７】
また、図２に示すように、この装置１の内部には、通電電極３１、３２に接続された電流供給回路１１と、測定電極４１、４２に接続された電圧測定回路１２と、荷重に応じた電圧を出力することにより使用者の体重データを測定するための重量センサ１３と、これら電圧測定回路１２及び重量センサ１３からの電圧信号をデジタル変換するＡ／Ｄ変換器１４と、液晶画面５、入力装置６、フットキー７、電源キー８及び発光体９（ＬＥＤ９１〜９９）に接続された入出力回路１５と、入力された個人データと測定された生体データとを記憶させるための記憶装置１６と、電池を含む電源装置１７と、これら電流供給回路１１、Ａ／Ｄ変換器１４、入出力回路１５、記憶装置１６及び電源装置１７に電気的に接続された制御装置１０とが配設されている。
【００２８】
このような構成において、制御装置１０は、公知の演算素子（ＣＰＵ）を含み、内蔵時計によって常に現在日時を更新しつつ、記憶装置１６に予め記憶された制御プログラムを実行することにより、入力装置６からの個人データの入力を受付ける処理、重量センサ１３を用いて体重データを測定する処理、通電電極３１、３２に交流電流を供給する処理、この電流値と測定電極４１、４２で検出される電圧値とに基づいて使用者の生体電気インピーダンスを算出する処理、この生体電気インピーダンスと入力装置６で入力された個人データと重量センサ１３で測定された体重データとから身体組成データ及び生体指標データを算出する処理、入力された個人データ及び測定された生体データを液晶画面５に表示させ、及び記憶装置１６に記憶させる処理等、各種の制御処理を実行し、以って使用者の生体データを測定するものである。
【００２９】
特に、本発明の実施例たる装置１では、発光体９（ＬＥＤ９１〜９９）のそれぞれがこの装置１で測定される９種類の生体データのそれぞれに対応しており、各生体データを順次自動的に又は使用者の選択操作に従って液晶画面５に表示させると共に、この生体データに対応する発光体９を発光させる制御処理が実行される。以下、これらの制御処理について、図３から図７までを参照して説明する。
【００３０】
図３のフローチャートは、使用者がこの装置１を初めて使用するときなど、個人データの登録を行う際の処理を示す。使用者がセットキー６３を押下してこの装置１を起動すると、この登録処理が実行される。
【００３１】
ステップＳ１では、使用者の個人番号が決定される。液晶画面５に、個人番号として１〜４の４つの数字が表示されるので、使用者は、アップキー６１、ダウンキー６２を用いて任意の１つを自身の個人番号として選択し、セットキー６３により決定する。次いで、ステップＳ２では、選択された個人番号に対して既に個人データの登録がなされているかどうかの確認が行われる。登録済みの場合はステップＳ３に進み、未登録の場合はステップＳ４に進む。ステップＳ３では、液晶画面５に再登録を行うかどうかの選択肢が表示され、使用者が再登録を行う旨の選択肢を選んだ場合はステップＳ４に進むが、再登録を行わない旨の選択肢を選んだ場合はこの登録処理は終了され、電源は自動的に遮断される。
【００３２】
ステップＳ４では、使用者の生年月日が入力される。液晶画面５には、年、月、日を表す数字が表示され、使用者がアップキー６１、ダウンキー６２を用いてそれぞれの数字を増減させて自身の生年月日に合わせ、セットキー６３により決定する。制御装置１０では、入力された生年月日と内蔵時計が示す現在の年月日との比較により、使用者の年齢データが算出される。次いで、ステップＳ５では、使用者の性別データが入力される。液晶画面５には男女の選択肢が表示され、使用者がアップキー６１、ダウンキー６２を用いて自身の性別を選択し、セットキー６３により決定する。次いで、ステップＳ６では、使用者の身長データが入力される。液晶画面５には身長を表す数字が表示され、使用者がアップキー６１、ダウンキー６２を用いてこの数字を増減させて自身の身長に合わせ、セットキー６３により決定する。
【００３３】
ステップＳ７では、ステップＳ１で選択された個人番号とステップＳ４からＳ６までで入力された個人データとがセットで記憶装置１６に保存される。以上により、個人データの登録処理は全て終了となり、その後所定時間（例えば、１０秒程度）が経過すると電源が自動的に遮断される。この所定時間中、入力された個人データを液晶画面５に表示して使用者の確認に供しても良い。また、もちろん、電源の遮断は、使用者が電源遮断キー８を押下して電源を遮断しても良い。
【００３４】
図４のフローチャートは、使用者がこの装置１を使用して自身の身体組成や生体指標といった生体データを測定する際の処理を示す。使用者が、自身の個人データが登録された個人番号に対応するフットキー７（７１から７４の何れか）を押下してこの装置１を起動すると、この測定処理が実行される。
【００３５】
ステップＳ１１では、押下されたフットキー７に対応した個人データが登録済みであるか否かの確認が行われる。登録済みであればステップＳ１２に進んで当該個人データが読込まれ、その後ステップＳ１３に進む。一方、未登録の場合には、この測定処理は終了される。尚、この終了に際しては、個人データが未登録である旨を液晶画面５に所定時間だけ表示させて使用者にその登録を促すようにしても良く、或いは、図３のステップＳ４に移動するようにしても良い。
【００３６】
ステップＳ１３では、セットキー６３が押下されたか否かが確認される。この時点でセットキー６３が押下された場合、制御装置１０は、後述するステップＳ１７に進み、個人番号に対応して保存されている過去の生体データの表示処理を実行する。一方、セットキー６３が押下されることなく重量センサ１３が荷重を検出した場合には、ステップＳ１４に進んで生体データの測定処理を実行する。
【００３７】
ステップＳ１４では、使用者の体重データと両足間の生体電気インピーダンスデータとが測定される。即ち、使用者が、左足裏を通電電極３１及び測定電極４１に、右足裏を通電電極３１及び測定電極４１に、それぞれ接触させて載台２２の上面２２ａに立つと、重量センサ１３で検出される荷重が使用者の体重データとして測定される。また、通電電極３１、３２を介して左右の足裏間に交流電流が供給され、且つ、測定電極４１、４２を介して左右の足裏間の電圧（電位差）が測定されて、これら電流値と電圧値とから両足間の生体電気インピーダンスが算出される。尚、抵抗値が既知で且つ異なる複数の基準抵抗を身体に対して直列又は並列となるように電気回路中に配設しておき、各抵抗に起因して生じる電位差を両足間に生じる電位差と共に取得し、取得された各電位差と基準抵抗の抵抗値との比率に基づいて被測定者の生体電気インピーダンスを算出することも可能であり、この場合は身体に供給される電流値が不明であってもインピーダンスデータを取得することができる。
【００３８】
次いで、ステップＳ１５では、使用者の個人データとして登録済みの年齢データ、性別データ及び身長データと、ステップＳ１４で測定された体重データ及び生体電気インピーダンスデータとに基づいて、体脂肪率、体水分率、筋肉量、基礎代謝量、骨量といった身体組成データと、内臓脂肪レベル、体型レベル、代謝年齢といった生体指標データとが算出される。また、これら身体組成データ及び生体指標データとステップＳ１４で測定された体重データとからなる生体データが、使用者の個人番号に対応して記憶装置１６に保存される。尚、これら身体組成データ及び生体指標データのそれぞれは、各データの算出用に予め作成され記憶装置１６に記憶された個別の算定式に従って算出されるものである。多くの場合、各算定式は、上述した個人データと体重データとインピーダンスデータの全部又は一部をパラメータとして構成されているが、特に基本的な生体データである体脂肪や体水分の算定式においては、少なくとも身長データと体重データとインピーダンスデータとがパラメータとして組込まれている。このような算定式を用いた生体データの測定処理は、従来公知の身体組成計における生体データの測定処理と同様であり、また本発明の要旨に直接的に関係するものではないないので、これ以上の詳細説明は割愛する。
【００３９】
次いで、ステップＳ１６では、ステップＳ１４及びＳ１５で測定された最新の生体データが液晶画面５に表示されると共に、発光体９が発光させられる。このステップＳ１６における処理については、図５のフローチャートを参照して説明する。
【００４０】
ステップＳ１６１では、生体データの表示時間を管理するタイマがリセットされる。これにより、このタイマは、この最新生体データ表示処理が開始された時点からの経過時間を計時することとなる。尚、斯かるタイマは、制御装置１０の内蔵時計を利用するものである。
【００４１】
次いで、ステップＳ１６２では、初期値が１に設定されると共に後述するステップＳ１７０で１ずつ増加する（但し、９の後は１に戻る。）ようにプログラムされた指定番号Ｘと、初期値が１に設定されると共に後述するステップＳ１６９で１増加するようにプログラムされた指定番号Ｙとに従って、液晶画面５への生体データの表示と発光体９の発光とが行われる。
【００４２】
ここで、指定番号Ｘは、表示させるべき生体データと発光させるべき発光体９とを決定するためのパラメータである。即ち、この装置１で測定される９種類の生体データと、この装置１に組込まれた９つのＬＥＤ９１〜９９とには、それぞれ１から９までの指定番号が予め付されており、制御装置１０は、指定番号Ｘの現在値に従って、当該数値が付された生体データを選択して液晶画面５に表示させると共に、当該数値が付された発光体９を選択してこれを発光させるものである。
【００４３】
また、指定番号Ｙは、発光体９の発光形態を決定するためのパラメータである。即ち、この装置１では、最新の生体データを表示する場合における発光体９の発光形態として「点灯」と「中速度の点滅」との２種類の発光パターンが用意されており、それぞれの発光パターンについて指定番号１と２とが付されている。そして、制御装置１０は、指定番号Ｙの現在値に従って、当該数値が付された発光パターンで発光体９を発光させるものである。
【００４４】
次いで、ステップＳ１６３では、アップキー６１又はダウンキー６２が押下されたか否かが確認される。アップキー６１もダウンキー６２も押下されない場合には、ステップＳ１６４に進んで一定時間ごとの自動的なデータ選択に基づく生体データの表示処理及び発光体９の発光処理を実行することになる。一方、アップキー６１又はダウンキー６２が押下された場合は、後述するステップＳ１６７に進んで使用者の選択操作に従った生体データの表示処理及び発光体９の発光処理を実行することになる。
【００４５】
ステップＳ１６４では、発光パターンに関する指定番号Ｙの値が２であるかどうかの確認が行われる。Ｙ＝２となっている場合は、この後のステップＳ１６５を飛ばしてステップＳ１６６に進むが、Ｙ＝２ではない場合（即ち、Ｙ＝１の場合）には、ステップＳ１６５に進む。
【００４６】
ここで、指定番号Ｙは、初期値が１で、ステップＳ１６３でアップキー６１又はダウンキー６２が押下された場合に進むことになる後述のステップＳ１６９において１増加されるものである。従って、使用者がアップキー６１又はダウンキー６２を一度も押下していない場合には、Ｙ＝１（Ｙ≠２）であるから、ステップＳ１６５に進むこととなる。一方、使用者がアップキー６１又はダウンキー６２を一度でも押下すると、後述の如くステップＳ１６９でＹ＝２となり、その後は常にステップＳ１６５を飛ばしてステップＳ１６６に進むこととなる。
【００４７】
ステップＳ１６５では、ステップＳ１６１におけるタイマリセットから３ｘ秒が経過しているかどうかが確認され、３ｘ秒経過している場合は後述するステップＳ１７０に進んで指定番号Ｘを１増加させた後にステップＳ１６６に進むが、未経過の場合はステップＳ１７０を経由することなくステップＳ１６６に進む。また、ステップＳ１６６では、ステップＳ１６１又は後述するステップＳ１６７におけるタイマリセットから３０秒が経過しているかどうかが確認され、３０秒経過している場合はこの生体データ表示処理を全て終了するが、未経過の場合はステップＳ１６２に戻る。
【００４８】
ここで、ステップＳ１６５における３ｘ秒のｘには、基本的には指定番号Ｘと同じ数値が代入されるものである。即ち、例えば指定番号Ｘ＝１の場合はｘ＝１となってステップＳ１６１のタイマリセットから３（＝３×１）秒経過しているかどうかが確認され、指定番号Ｘ＝５の場合はｘ＝５となってステップＳ１６１のタイマリセットから１５（＝３×５）秒経過しているかどうかが確認されることとなる。但し、指定番号Ｘは９まで増加すると１に戻るようにプログラムされているのに対し、このｘについては、ｘ＝９以降も１０、１１、１２・・・と順次増加するようにプログラムされている。
【００４９】
ステップＳ１６１からＳ１６６まで及びステップＳ１７０の処理により、一定時間ごとの自動的なデータ選択に基づく生体データの表示処理と発光体９の発光処理とが実行されることとなる。即ち、ステップＳ１６２で先ず指定番号１の生体データが表示され、その後アップキー６１又はダウンキー６２が押下されることなく３秒経過するとステップＳ１７０でＸ＝２となって指定番号２の生体データ表示に切替わり、その後再び３秒（タイマリセットからは３×２＝６秒）経過すると指定番号３の生体データ表示に切替わり、更に再び３秒（タイマリセットからは３×３＝９秒）経過すると指定番号４の生体データ表示に切替わるといったように、９種類の生体データのそれぞれが３秒ごとに順次自動的に選択されて液晶画面５に表示されることとなる。また、この間、選択された生体データと同じ指定番号Ｘが付された発光体９が、指定番号Ｙ＝１の発光パターンで発光（点灯）させられることとなる。そして、斯かる表示及び発光処理は、ステップＳ１６１のタイマリセット、即ち、この最新データ表示処理の開始から合計で３０秒間、継続されることとなる。尚、もちろん、これら３秒や３０秒という時間については、使用者の利便性を考慮して適宜に設定すれば良い。
【００５０】
一方、ステップＳ１６３においてアップキー６１又はダウンキー６２の押下が確認された場合には、ステップＳ１６７に進むこととなる。このステップＳ１６７では、当初ステップＳ１６１でリセットされたタイマが、再びリセットされる。これにより、タイマは、アップキー６１又はダウンキー６２が押下された時点からの経過時間を計時することとなる。
【００５１】
次いで、ステップＳ１６８では、発光パターンに関する指定番号Ｙの値が２であるかどうかの確認が行われる。Ｙ＝２となっている場合は、この後のステップＳ１６９を飛ばしてステップＳ１７０に進むが、Ｙ＝２ではない場合（即ち、Ｙ＝１の場合）には、ステップＳ１６９に進む。もちろん、指定番号Ｙの初期値は１であるから、アップキー６１又はダウンキー６２が初めて押下されてこのステップＳ１６８に進んできた場合には、ステップＳ１６９に進むこととなる。
【００５２】
ステップＳ１６９では、指定番号Ｙの値が１増加させられ、Ｙ＝２となる。この結果、発光体９は指定番号２の発光パターンで発光（中速度の点滅）させられることとなる。尚、このステップＳ１６９は、指定番号Ｙ＝２となった後には、ステップＳ１６８の判定によって常にスキップされるものである。
【００５３】
ステップＳ１７０では、指定番号Ｘの値が１増加させられる。即ち、現在値が１であれば２に、２であれば３に変更させられる。尚、前述の通り、この指定番号Ｘは、９まで増加した後は再び１に戻るようにプログラムされている。そして、このステップＳ１７０の後はステップＳ１６６に進み、ステップＳ１６６では、ステップＳ１６７のタイマリセットから３０秒経過したかどうか、即ち、アップキー６１又はダウンキー６２が押下された時点から３０秒経過したかどうかが確認されることとなる。
【００５４】
ステップＳ１６３からステップＳ１６７を経由してステップＳ１６６に至る処理により、使用者の選択操作に従った生体データの表示処理及び発光体９の発光処理が実行されることとなる。即ち、アップキー６１又はダウンキー６２の押下という使用者の選択操作に従って指定番号Ｘ（即ち、９種類の生体データの一つ）が選択され、このように任意に選択された生体データは、使用者が再び選択操作を行うまで、液晶画面５に表示されることとなる。この結果、使用者がアップキー６１又はダウンキー６２を押下するごとに、液晶画面５に表示される生体データが切替わるものである。また、この間、選択された生体データと同じ指定番号Ｘが付された発光体９が、指定番号Ｙ＝２の発光パターンで発光（中速度の点滅）させられることとなる。そして、斯かる表示及び発光処理は、ステップＳ１６７のタイマリセット、即ち、使用者がアップキー６１又はダウンキー６２を最後に押下した時点から合計で３０秒間、継続されることとなる。尚、生体データの切替えに関し、例えばアップキー６１を押下した場合は指定番号Ｘを１ずつ増加させ、ダウンキー６２を押下した場合は指定番号Ｘを１ずつ減少させるようにプログラムしても良く、そのようなプログラムによれば、押下するキーによって生体データの切替え順序を逆転させることが可能となる。
【００５５】
ステップＳ１６６で３０秒経過したことが確認されると、この最新生体データ表示処理は終了し、以って生体データ測定処理全体も終了することとなる。
【００５６】
再び図４のフローチャートに戻り、ステップＳ１３においてセットキー６３の押下が確認された場合の処理について説明する。この時点におけるセットキー６３の押下は、記憶装置１６に保存されている過去の生体データを表示させるために行われるものである。ステップＳ１３においてセットキー６３の押下が確認された場合は、ステップＳ１７に進む。
【００５７】
ステップＳ１７では、表示させるべき生体データの測定日が入力される。液晶画面５には、年、月、日を表す数字が表示され、使用者がアップキー６１、ダウンキー６２を用いてそれぞれの数字を増減させて過去の測定日に合わせ、セットキー６３により決定する。もちろん、測定日に代えて、何日前、何回前といった入力を行うようにすることも可能である。
【００５８】
次いで、ステップＳ１８では、ステップＳ１７で入力された測定日の生体データが記憶装置１６から読込まれる。該当するデータが保存されていない場合は、その旨を表すエラー表示を行ってこの処理を終了しても良いし、再びステップＳ１７に戻るようにしても良い。
【００５９】
次いで、ステップＳ１９では、ステップＳ１８で読込まれた過去の生体データが液晶画面５に表示されると共に、発光体９が発光させられる。このステップＳ１９における処理については、図６のフローチャートを参照して説明する。尚、図６のフローチャートは、図５のフローチャートと基本的には同様のものであるので、相違する箇所以外については簡略に説明する。
【００６０】
ステップＳ１９１では、ステップＳ１６１と同様にタイマがリセットされる。
【００６１】
次いで、ステップＳ１９２では、ステップＳ１６２と同様に、指定番号Ｘに従った生体データの表示処理及び発光体９の発光処理が行われる。但し、ステップＳ１６２の場合と異なり、表示される生体データ自体は、ステップＳ１８で読込まれた過去の生体データである。また、発光体９の発光形態（発光パターン）は、指定番号Ｙではなく、指定番号Ｚに従って決定されるものである。この指定番号Ｚは、初期値が１に設定されると共に後述するステップＳ１９９で１増加するようにプログラムされており、Ｚ＝１の場合は「低速度の点滅」となり、Ｚ＝２の場合は「高速度の点滅」となる。このように、最新生体データ表示の場合と過去生体データ表示の場合とで異なる発光形態を用意しておき、それぞれの発光形態を決定するための指定番号を異なるものとしておくことで、最新生体データ表示の場合における発光体９の発光形態と、過去生体データ表示の場合における発光体９の発光形態とが、互いに異なるものとなる。
【００６２】
次いで、ステップＳ１９３では、ステップＳ１６３と同様にアップキー６１又はダウンキー６２の押下が確認され、押下が確認されない場合はステップＳ１９４に進み、押下が確認された場合はステップＳ１９７に進む。
【００６３】
ステップＳ１９４では、指定番号Ｚが２であるかどうかが確認され、Ｚ≠２であればステップＳ１９５に進み、Ｚ＝２であればステップＳ１９５を飛ばしてステップＳ１９６に進む。
【００６４】
ステップＳ１９５では、ステップＳ１６５と同様に、ステップＳ１９１のタイマリセットから３ｘ秒が経過しているかどうかの確認が行われ、経過している場合はステップＳ２００を経由してステップＳ１９６に進み、未経過の場合はステップＳ２００を経由することなくステップＳ１９６に進む。
【００６５】
ステップＳ１９６では、ステップＳ１６６と同様に、ステップＳ１９１又は後述するステップＳ１９７のタイマリセットから３０秒が経過しているかどうかの確認が行われ、経過している場合はこの過去生体データ表示処理を終了し、未経過の場合はステップＳ１９２に戻る。
【００６６】
一方、ステップＳ１９７では、ステップＳ１６７と同様にタイマリセットが行われ、その後ステップＳ１９８に進む。
【００６７】
ステップＳ１９８では、指定番号Ｚが２であるかどうかが確認され、Ｚ≠２であればステップＳ１９９に進み、Ｚ＝２であればステップＳ１９９を飛ばしてステップＳ２００に進む。
【００６８】
ステップＳ１９９では、指定番号Ｚの値が１増加させられ、Ｚ＝２となる。この結果、発光体９は指定番号２の発光パターンで発光（高速度の点滅）させられることとなる。
【００６９】
ステップＳ２００では、ステップＳ１７０と同様に、指定番号Ｘが１増加され、その後ステップＳ１９６に進むものである。そして、ステップＳ１９６で３０秒経過したことが確認されると、この過去生体データ表示処理は終了し、以って生体データ測定処理全体も終了することとなる。
【００７０】
図７には、この装置１の液晶画面５の表示と発光体９の発光状態が例示されている。液晶画面５の近傍には、９つのＬＥＤ９１〜９９からなる発光体９が配設されている。各ＬＥＤ９１〜９９は、透過性のカバー９１ａ    、９２ａ、９３ａ、９４ａ、９５ａ、９６ａ、９７ａ、９８ａ、９９ａで覆われており、各カバー９１ａ〜９９ａには、対応する生体データを表すマークが付されている。
【００７１】
図７（Ａ）には、生体データの一つである体重（指定番号Ｘ＝１）の表示例が示されており、液晶画面５には体重を表す数値「７３．１」とその単位「ｋｇ」とが表示され、体重を表すマーク（錘マーク）が付されたカバー９１ａで覆われたＬＥＤ９１が点灯（指定番号Ｙ＝１）している。即ち、この体重は、この時点で測定されたばかりの最新のデータであり、少なくとも３秒後には自動的に別の生体データ（指定番号Ｘ＝２の生体データ）に切替わるものである。
【００７２】
図７（Ｂ）には、生体データの一つである体脂肪率（指定番号Ｘ＝２）の表示例が示されており、液晶画面５には体脂肪率を表す数値「２１．７」とその単位「％」とが表示され、体脂肪率を表すマーク（人体のシルエットに「％」を白抜きで記載したマーク）が付されたカバー９２ａで覆われたＬＥＤ９２が中速度で点滅している（指定番号Ｙ＝２）。即ち、この体脂肪率は、この時点で測定されたばかりの最新のデータであり、使用者がアップキー６１又はダウンキー６２を押下しない限り、３０秒間に亘って表示されるものである。
【００７３】
図７（Ｃ）には、生体データの一つである骨量（指定番号Ｘ＝８）の表示例が示されており、液晶画面５には骨量を表す数値「４．７」とその単位「ｋｇ」とが表示され、骨量を表すマーク（人体のシルエットに骨格を白抜きで記載したマーク）が付されたカバー９８ａで覆われたＬＥＤ９８が低速度で点滅している（指定番号Ｚ＝１）。即ち、この骨量は、過去のある時点で測定されて記憶装置１６に保存されていたデータであり、少なくとも３秒後には自動的に別の生体データ（指定番号Ｘ＝９の生体データ）に切替わるものである。
【００７４】
図７（Ｄ）には、生体データの一つである内臓脂肪レベル（指定番号Ｘ＝９）の表示例が示されており、液晶画面５には内臓脂肪レベルを表す数値９が表示され、内臓脂肪を表すマーク（人体のシルエットに腹部の断面を白抜きで記載したマーク）が付されたカバー９９ａで覆われたＬＥＤ９９が高速度で点滅している（指定番号Ｚ＝２）。即ち、この内臓脂肪レベルは、過去のある時点で測定されて記憶装置１６に保存されていたデータであり、使用者がアップキー６１又はダウンキー６２を押下しない限り、３０秒間に亘って表示されるものである。
【００７５】
上述のように、この装置１においては、主として入力装置６と重量センサ１３と通電電極３１、３２と電流供給回路１１と測定電極４１、４２と電圧測定回路１２と制御装置１０とで構成されるデータ測定手段が、ステップＳ４からＳ６まで及びステップＳ１４からＳ１５までの如く使用者の複数種類（９種類）の生体データを測定し、主として入力装置６と制御手段１０とで構成されるデータ選択手段が、ステップＳ１６３からＳ１７０まで又はステップＳ１９３からＳ２００までの如く測定された生体データの一つを選択し、主として液晶画面５と制御装置１０とで構成されるデータ表示手段が、ステップＳ１６２又はＳ１９２の如く選択された生体データを表示する。そして、特に、主としてＬＥＤ９１〜９９で構成される複数（９つ）の発光体９が各生体データに対応して配設されており、主として制御装置１０で構成される発光制御手段が、ステップＳ１６２又はＳ１９２の如く、選択された生体データに対応する発光体９を発光させるものである。
【００７６】
また、発光体９を構成するＬＥＤ９１〜９９のそれぞれは、それぞれに対応するマークが付された透過性のカバー９１ａ〜９９ａで覆われているものである。
【００７７】
更に、主として入力装置６と制御装置１０とで構成されるデータ選択手段が、ステップＳ１６５及びＳ１７０又はステップＳ１９５及びＳ２００の如く複数種類の生体データのそれぞれを一定時間（３秒）ごとに順次自動的に選択する自動データ選択手段と、ステップＳ１６３及びＳ１７０又はステップＳ１９３及びＳ２００の如く複数種類の生体データの一つを使用者の選択操作（アップキー６１又はダウンキー６２の押下）に従って選択する任意データ選択手段とを含んでいる。そして、主として制御装置１０で構成される発光制御手段が、ステップＳ１６２及びＳ１６９又はステップＳ１９２及びＳ１９９の如く、生体データの選択が自動データ選択手段で行われた場合における発光体９の発光形態（点灯又は低速度の点滅）と、生体データの選択が任意データ選択手段で行われた場合における発光体９の発光形態（中速度の点滅又は高速度の点滅）とを、互いに異ならせるものである。
【００７８】
また、主として記憶装置１６で構成されるデータ記憶手段がステップＳ１５の如く測定された複数種類の生体データを記憶しており、主として入力装置６と制御装置１０とで構成されるデータ選択手段が、ステップＳ１３及びＳ１６の如くデータ測定手段で測定された最新の生体データの一つを選択する最新データ選択手段と、ステップＳ１３及びＳ１９の如くデータ記憶手段に記憶された過去の生体データの一つを選択する過去データ選択手段とを含んでいる。そして、主として制御装置１０で構成される発光制御手段が、ステップＳ１６２とステップＳ１９２との如く、生体データの選択が最新データ選択手段で行われた場合における発光体９の発光形態（点灯及び中速度の点滅）と、生体データの選択が過去データ選択手段で行われた場合における発光体９の発光形態（低速度の点滅及び高速度の点滅）とを、互いに異ならせるものである。
【００７９】
以上、本発明による生体測定装置及びその実施の形態について詳述してきたが、本発明は、実施例の構成に限定されることなく、特許請求の範囲に記載した構成を備える限りにおいて、実施例と共に説明した各種の変形はもちろん、その他様々な変形が可能である。例えば、測定される生体データの種類は９種類に限らず、これより多くても少なくても良い。また、発光体はＬＥＤに限らず、電球等を用いても良い。また、発光体を覆う透過性のカバーには、生体データを表す文字を記しても良い。また、発光体の発光形態の変更は、点灯、点滅といった発光パターンの変更のみならず、例えば色を変更することによって実現することもできる。更に、生体データのそれぞれに対応した専用の選択キーを備えた生体測定装置に本発明を適用しても良く、この場合には、各生体データに対応する選択キーと発光体とを共通化することも可能である。また、もちろん、本発明は生体電気インピーダンスを利用した所謂体組成計に適用するのみならず、複数種類の生体データを測定する装置（例えば、歩数と消費エネルギーと必要エネルギーとを測定する歩数計等）に広く適用することができるものである。
【図面の簡単な説明】
【００８０】
【図１】本発明の実施例たる生体測定装置１の外観図
【図２】生体測定装置１に内蔵された電気回路構成の概要を示すブロック図
【図３】個人データ登録処理のフローチャート
【図４】生体データ測定処理のフローチャート
【図５】最新生体データ表示処理のフローチャート
【図６】過去生体データ表示処理のフローチャート
【図７】液晶画面の表示例及び発光体の発光例を説明するための図
【符号の説明】
【００８１】
１  生体測定装置
２  本体
２１  基台
２２  載台
２２ａ  上面
３１、３２  通電電極
４１、４２  測定電極
５  液晶画面
６  入力装置
６１  アップキー
６２  ダウンキー
６３  決定キー
７（７１、７２、７３、７４）  フットキー
８  電源遮断用フットキー
９  発光体
９１、９２、９３、９４、９５、９６、９７、９８、９９  発光ダイオード
９１ａ、９２ａ、９３ａ、９４ａ、９５ａ、９６ａ、９７ａ、９８ａ、９９ａ  透過性カバー
１０  制御装置
１１  電流供給回路
１２  電圧測定回路
１３  重量センサ
１４  Ａ／Ｄ変換器
１５  入出力回路
１６  記憶装置
１７  電源装置
【図１】
2006239237.tif 000003
【図２】
2006239237.tif 000004
【図３】
2006239237.tif 000005
【図４】
2006239237.tif 000006
【図５】
2006239237.tif 000007
【図６】
2006239237.tif 000008
【図７】
2006239237.tif 000009